(57)【特許請求の範囲】
【請求項１】
１つのマイクロレンズに対して複数の光電変換部を備えた画素部を複数有し、周期的に撮像を行う撮像素子と、
前記撮像素子における複数の前記画素部が配置された領域を分割することで、複数の焦点検出領域を形成する分割手段と、
前記焦点検出領域に対応する前記画素部からの出力信号に基づいてデフォーカス量を検出する焦点検出手段と、
前記焦点検出手段により複数の前記焦点検出領域で検出されたデフォーカス量に基づいて、焦点調節に用いる前記焦点検出領域を選択する選択手段とを有し、
前記分割手段は、複数の焦点検出領域を形成するための分割パターンを複数有し、前記撮像素子の撮像ごとに前記分割パターンを切り替え、
複数の前記分割パターンにより形成される前記焦点検出領域は互いに重なり合い、複数の前記分割パターンにより形成される前記焦点検出領域のずらし量は前記焦点検出領域１つ分よりも小さいことを特徴とする撮像装置。
【請求項２】
前記焦点検出手段は、複数の前記分割パターンにより形成される焦点検出領域それぞれについてデフォーカス量を検出し、前記選択手段は、複数の前記分割パターンにより形成される焦点検出領域の中から焦点調節に用いる前記焦点検出領域を選択することを特徴とする請求項１に記載の撮像装置。
【請求項３】
前記分割パターンの数は、前記撮像素子のフレームレートに応じて異なることを特徴とする請求項１または２に記載の撮像装置。
【請求項４】
前記撮像素子のフレームレートが第１の値の場合に、当該第１の値よりも低い第２の値の場合と比較して、前記分割パターンの数が多いことを特徴とする請求項３に記載の撮像装置。
【請求項５】
前記撮像素子のフレームレートが所定値よりも高い場合に、複数の前記分割パターンが設定されることを特徴とする請求項３または４に記載の撮像装置。
【請求項６】
前記選択手段により選択される前記焦点検出領域の切り替えやすさを設定可能であって、
前記焦点検出領域の切り替えやすさが第１の設定の場合に、当該第１の設定よりも前記焦点検出領域を切り替えにくい第２の設定の場合と比較して、前記分割パターンの数が多いことを特徴とする請求項１乃至５のいずれか１項に記載の撮像装置。
【請求項７】
複数の前記分割パターンにより、それぞれ水平方向および垂直方向に所定の数ずつ前記焦点検出領域が形成され、
前記選択手段は、複数の前記分割パターンにおいて同じ座標にある前記焦点検出領域およびその近傍の前記焦点検出領域のデフォーカス量に基づいて、焦点調節に用いる前記焦点検出領域を選択することを特徴とする請求項１乃至６のいずれか１項に記載の撮像装置。
【請求項８】
前記選択手段は、複数の前記分割パターンにおいて同じ座標にある前記焦点検出領域およびその近傍の前記焦点検出領域のデフォーカス量の平均値を算出し、当該焦点検出領域の中で、当該平均値よりも所定値だけ近側のデフォーカス量が検出された前記焦点検出領域を優先して選択することを特徴とする請求項７に記載の撮像装置。
【請求項９】
１つのマイクロレンズに対して複数の光電変換部を備えた画素部を複数有し、周期的に撮像を行う撮像素子を備えた撮像装置の制御方法であって、
前記撮像素子における複数の前記画素部が配置された領域を分割することで、複数の焦点検出領域を形成する分割ステップと、
前記焦点検出領域に対応する前記画素部からの出力信号に基づいてデフォーカス量を検出する焦点検出ステップと、
前記焦点検出ステップにより複数の前記焦点検出領域で検出されたデフォーカス量に基づいて、焦点調節に用いる前記焦点検出領域を選択する選択ステップとを有し、
前記分割ステップにおいて、複数の焦点検出領域を形成するための分割パターンを複数有し、前記撮像素子の撮像ごとに前記分割パターンを切り替え、
複数の前記分割パターンにより形成される前記焦点検出領域は互いに重なり合い、複数の前記分割パターンにより形成される前記焦点検出領域のずらし量は前記焦点検出領域１つ分よりも小さいことを特徴とする撮像装置の制御方法。
【発明の詳細な説明】
【技術分野】
【０００１】
本発明は、撮像素子からの信号を用いて焦点検出を行う機能を有する撮像装置に関する。
【背景技術】
【０００２】
デジタルカメラ等の撮像装置で自動焦点調節（ＡＦ）を行う際に、予め配置された複数の焦点検出領域からいずれかを選択してＡＦに用いることが知られている。焦点検出領域を選択する方法としては、画面の中心など主被写体の存在する確率が高いものを優先的に選択する方法や、近側の焦点検出結果が得られたものを優先的に選択する方法などがある。
【０００３】
焦点検出領域が離散的に配置されていると、意図する被写体が焦点検出領域から外れてしまう可能性が高くなる。そのため、焦点検出領域を高密度に配置することが望ましいが、高密度化のために各焦点検出領域を小さくすると、条件によっては十分な焦点検出精度が得られないおそれがある。
【０００４】
そこで、特許文献１では、２次結像光学系のラインセンサーを複数の領域に分割した分割領域のパターンを複数備え、分割パターンの切り替えにより焦点検出領域の配置密度を高める構成が記載されている。また、特許文献１では、１コマあたりのＡＦに使用できる時間が長い低速連写時は全ての分割パターンで焦点検出を行い、ＡＦに使用できる時間が短い高速連写時は１撮影ごとに分割パターンを切り替えて焦点検出を行う構成が記載されている。
【先行技術文献】
【特許文献】
【０００５】
【特許文献１】特開２０１０−１６０２７１号公報
【発明の概要】
【発明が解決しようとする課題】
【０００６】
しかしながら、特許文献１の構成は、２次結像光学系のラインセンサーを用いた焦点検出が前提であり、例えば動画撮影時に行われる、表示や記録用の画像を生成する撮像素子からの信号を用いた焦点検出については考慮されていない。
【０００７】
そこで、本発明は、撮像素子からの信号を用いた焦点検出において、被写体をより適切に捉えた焦点検出領域から焦点検出結果を得ることが可能な撮像装置を提供することを目的とする。
【課題を解決するための手段】
【０００８】
上記目的を達成するために、本発明に係る撮像装置は、１つのマイクロレンズに対して複数の光電変換部を備えた画素部を複数有し、周期的に撮像を行う撮像素子と、前記撮像素子における複数の前記画素部が配置された領域を分割することで、複数の焦点検出領域を形成する分割手段と、前記焦点検出領域に対応する前記画素部からの出力信号に基づいてデフォーカス量を検出する焦点検出手段と、前記焦点検出手段により複数の前記焦点検出領域で検出されたデフォーカス量に基づいて、焦点調節に用いる前記焦点検出領域を選択する選択手段とを有し、前記分割手段は、複数の焦点検出領域を形成するための分割パターンを複数有し、前記撮像素子の撮像ごとに前記分割パターンを切り替え、複数の前記分割パターンにより形成される前記焦点検出領域は互いに重なり合い、複数の前記分割パターンにより形成される前記焦点検出領域のずらし量は前記焦点検出領域１つ分よりも小さいことを特徴とする。
【発明の効果】
【０００９】
本発明によれば、撮像素子からの信号を用いた焦点検出において、被写体をより適切に捉えた焦点検出領域から焦点検出結果を得ることが可能になる。
【図面の簡単な説明】
【００１０】
【図１】本実施形態における撮像装置の概略図である。
【図２】本実施形態における撮像装置の構成例を示す模式図である。
【図３】本実施形態における動画撮影処理を示すフローチャートである。
【図４】第１の実施形態における分割パターン設定処理を示すフローチャートである。
【図５】本実施形態における分割パターンの一例を示す模式図である。
【図６】本実施形態における分割パターン設定を適用した場合の一例を説明する図である。
【図７】本実施形態における焦点検出処理を示すフローチャートである。
【図８】第２の実施形態における焦点検出領域乗り移り特性の設定画面の一例を示す図である。
【発明を実施するための形態】
【００１１】
以下に、本発明の好ましい実施の形態を、添付の図面に基づいて詳細に説明する。
【００１２】
（第１の実施形態）
図１は、本実施形態に係る撮像装置の概略図である。図１において、カメラ本体１０１には、その前面（被写体側）に撮影レンズ１０２が着脱可能に装着されている。カメラ本体１０１と撮影レンズ１０２はマウント接点群１１５を介して電気的に接続され、接点を介してカメラ本体１０１と撮影レンズ１０２との間でデータの通信が行われる。
【００１３】
撮影レンズ１０２内には、光軸方向に移動することで焦点調節を行うフォーカスレンズ１０３を含むレンズ群と、カメラ本体１０１内に入射する光の量を調節する絞り１１２が設けられている。また、フォーカスレンズ１０３と絞り１１２を駆動するための不図示のモータがそれぞれ設けられている。レンズ群と絞り１１２を備えて撮影光学系が構成される。
【００１４】
カメラ本体１０１には、画素部を複数有する撮像素子１０９が備えられ、撮影光学系を通過した光によって形成される被写体像を光電変換して撮像信号を出力する。撮像素子１０９は、フォーカスレンズ１０３を通過した被写体光学像を形成するＣＣＤやＣＭＯＳセンサー等を備えて構成される。なお、本実施形態における撮像素子１０９は、位相差検出方式の焦点検出に用いる像信号を取得可能な、所謂、撮像面位相差検出方式の焦点検出が可能な構成を有する。一例として、撮像素子１０９において、各画素部に設けられた１つのマイクロレンズに対応して複数の光電変換部を備えることにより、複数の画素部の各光電変換部から視差を有する１対の像信号を取得することができる。シャッター１１３は、撮像素子１０９の露光時間を調節する。
【００１５】
半透過部を有する主ミラー１０４は、撮影時には撮影光束外（光路外）へ退避し、焦点検出時には撮影光束内（光路中）に斜設される。図１では、主ミラー１０４が撮影光束内に挿入された状態（ミラーダウン）を示している。主ミラー１０４は、ミラーダウン状態で、撮影光学系を通過した光束の一部をピント板１０５、ペンタプリズム１０６、及び、接眼レンズ１０７から構成されるファインダ光学系に導く。また、主ミラー１０４は、ミラーダウン状態で、撮影光学系を通過した光束の一部を測光ユニット１１１に導き、測光ユニット１１１において被写体光学像の輝度信号と色差信号が検出される。
【００１６】
サブミラー１０８は、主ミラー１０４の動作に同期して主ミラー１０４に対して折り畳み、展開可能に構成されている。主ミラー１０４の半透過部を通過した光束の一部は、サブミラー１０８によって下方へ反射され、位相差検出方式の焦点検出ユニット１１０に入射し、焦点検出ユニット１１０において焦点状態が検出される。なお、焦点検出ユニット１１０には、２次結像光学系と、複数の画素部を備えたラインセンサーが設けられ、対となるラインセンサーから視差を有する１対の像信号を取得することができる。
【００１７】
ディスプレイユニット１１４は、撮影情報や、撮像信号に基づく撮影画像を表示し、ユーザーが確認できるようにするものである。
【００１８】
次に、本実施形態に係る撮像装置の構成例について、図２の模式図を用いて説明する。なお、図２において図１と同じ構成要素には同じ参照番号を付している。
【００１９】
システム制御部２０１は、カメラ本体１０１全体の制御を行うＣＰＵ、記憶装置であるＲＡＭなどを備えて構成され、第１焦点検出部２０２など後述する各部の動作を適宜制御する。
【００２０】
第１焦点検出部２０２は、システム制御部２０１に接続され、焦点検出ユニット１１０を駆動する。焦点検出ユニット１１０では、サブミラー１０８を介して入射される光束が上述したラインセンサーで電気信号に変換され、第１焦点検出部２０２に像信号が読み出される。この像信号に基づいて、第１焦点検出部２０２は、各ラインセンサーに対応する焦点検出領域のデフォーカス量を計算する。システム制御部２０１は、第１焦点検出部２０２から出力されたデフォーカス量を基にフォーカスレンズ１０３の駆動量を求め、撮影レンズ１０２内のレンズ制御部２０６にフォーカスレンズ１０３を駆動させるように駆動命令を送信することで、焦点を調節する。レンズ制御部２０６は、撮影レンズ１０２全体の制御を行うＣＰＵ等を備えて構成される。
【００２１】
測光制御部２０４は、システム制御部２０１に接続され、測光ユニット１１１を駆動する。測光ユニット１１１では、撮影光学系を通過した被写体光学像の光束が電気信号に変換され、測光制御部２０４に測光画像データが読み出される。このデータに基づいて、測光制御部２０４は自動露出演算を行い、結果をシステム制御部２０１に出力する。システム制御部２０１は、測光制御部２０４から出力された自動露出演算の結果に基づいて、レンズ制御部２０６に絞り１１２を駆動させるように駆動命令を送信することで、カメラ本体１０１内に入射する光の量を調節する。さらに、システム制御部２０１は、レリーズ時（記録画像の撮影時）に、シャッター制御部２０８を介してシャッター１１３を制御することで、撮像素子１０９の露光時間を調節する。
【００２２】
ミラー制御部２０７は、システム制御部２０１に接続され、主ミラー１０４を撮影光束外へ駆動する。撮像素子制御部２０９は、システム制御部２０１に接続され、撮像素子１０９を駆動し、被写体像を光電変換してシステム制御部２０１に撮像信号を出力する。
【００２３】
第２焦点検出部２１２は、システム制御部２０１に接続され、撮像素子１０９から撮像面位相差検出用の像信号を取得して焦点検出を行う。例として、上述したように撮像素子１０９の各画素部のマイクロレンズ下に複数の光電変換部が設けられる場合、各光電変換部において撮影光学系の異なる瞳領域を通過した光束を受光して光電変換することで１対の像信号が生成される。この像信号（撮像素子の出力信号）に基づいて、第２焦点検出部２１２は、焦点検出領域のデフォーカス量を計算する。システム制御部２０１は、第２焦点検出部２１２から出力されたデフォーカス量を基にフォーカスレンズ１０３の駆動量を求め、撮影レンズ１０２内のレンズ制御部２０６にフォーカスレンズ１０３を駆動させるように駆動命令を送信することで、焦点を調節する。なお、後述する動画撮影時には、第２焦点検出部２１２による焦点検出が行われる。
【００２４】
操作部２１０は、システム制御部２０１に接続され、カメラ本体１０１の電源をオン・オフするための電源スイッチ、レリーズボタンなど、カメラ本体１０１を操作するための操作部材を備えている。これらのスイッチやボタンが操作されると、その操作に応じた信号がシステム制御部２０１に入力される。なお、レリーズボタンには、使用者による第１ストローク操作（半押し操作）によりＯＮするレリーズスイッチＳＷ１と、第２ストローク操作（全押し操作）によりＯＮするレリーズスイッチＳＷ２とが接続されている。記憶部２１１は、カメラ本体１０１の設定値等を記憶している。
【００２５】
以下、図３のフローチャートを参照して、本実施形態における動画撮影処理について説明する。動画撮影中は、垂直同期信号に同期して、撮像素子１０９により周期的に撮像が行われる。なお、ここでの動画撮影処理は、ディスプレイユニット１１４に撮影画像を逐次表示する所謂ライブビュー表示用の動画撮影に適用しても良いし、記録用の動画撮影に適用しても良い。
【００２６】
Ｓ３０１では、システム制御部２０１は、カメラ本体１０１に対するユーザー設定処理が行われたときに記憶部２１１に格納される設定情報を読み込む。ここで読み込まれる情報の中には、フレームレートに関する情報が含まれる。Ｓ３０２では、システム制御部２０１は、Ｓ３０１で記憶部２１１から読み込んだ設定情報を基に、焦点検出領域の分割パターンを設定する。分割パターン設定の詳細については後述する。
【００２７】
Ｓ３０３では、システム制御部２０１は、動画スイッチがオンされているかどうかを判断し、オンの場合はＳ３０４へ進み、オフの場合は動画撮影処理を終了する。Ｓ３０４では、システム制御部２０１は、動画サーボＡＦを行うか否かの判定を行う。動画サーボＡＦを行う場合はＳ３０５へ進み、行わない場合はＳ３０７へ進む。ここで、動画サーボＡＦとは、連続して焦点検出を行い、フォーカスレンズ１０３を駆動させて焦点調節を継続的に行う動作のことである。動画サーボＡＦを行うかどうかは、記憶部２１１に格納されている設定情報を読み出したときと、カメラ本体１０１に対するユーザー設定処理が行われたときに設定される。
【００２８】
Ｓ３０５では、システム制御部２０１は、撮像面位相差検出方式による焦点検出を行うように第２焦点検出部２１２を制御する。Ｓ３０６では、システム制御部２０１は、Ｓ３０５で検出した焦点検出結果に基づいてフォーカスレンズ１０３を駆動させるように、レンズ制御部２０６に指示する。Ｓ３０７では、システム制御部２０１は、動画撮影処理を停止するかどうかの判定を行う。動画撮影処理を継続する場合はＳ３０３へ進み、停止する場合は動画撮影処理を終了する。
【００２９】
次に、本実施形態におけるＳ３０２の分割パターン設定処理について、図４と図５を用いて説明する。図４は、本実施形態における分割パターン設定処理を示すフローチャートである。図５は、分割パターンの一例を示す概略図である。図５（ａ）〜（ｅ）では、記録画素領域５０１内で、水平方向に９つ、垂直方向に７つの画素ブロックに分割して形成された６３個の焦点検出領域５０２が示されている。各焦点検出領域には、座標番号ｍ（ここでは１から６３）が付与されるものとする。なお、焦点検出領域の数や分割パターンは図５の例に限定されるものではない。
【００３０】
図４のＳ４０１では、システム制御部２０１は、Ｓ３０１で読み込んだ情報に基づいて、動画のフレームレートが３０ｆｐｓ以下かどうかを判定する。フレームレートが３０ｆｐｓ以下であればＳ４０２に進み、３０ｆｐｓより高ければＳ４０３に進む。Ｓ４０２では、システム制御部２０１は、分割パターンｐとして、図５（ａ）に示されるパターンａを設定する。
【００３１】
Ｓ４０３では、システム制御部２０１は、Ｓ３０１で読み込んだ情報に基づいて、動画のフレームレートが６０ｆｐｓ以下かどうかを判定する。フレームレートが６０ｆｐｓ以下であればＳ４０４に進み、６０ｆｐｓより高ければＳ４０５に進む。Ｓ４０４では、システム制御部２０１は、分割パターンｐとして、図５（ａ）、（ｂ）、（ｃ）にそれぞれ示されるパターンａ、ｂ、ｃを設定する。パターンｂは、パターンａに対して分割する位置をＺだけ左にずらした分割パターンである。また、パターンｃは、パターンａに対して分割する位置をＺだけ右にずらした分割パターンである。ここで、焦点検出領域のずらし量Ｚは、各分割パターンにおける同一の座標番号ｍの焦点検出領域の一部が互いに重なり合うような量である。
【００３２】
このように、重なり合う焦点検出領域を順々に切り替える構成とすることで、移動する被写体をより確実に捉えることができる。特に動画撮影においては、意図しない被写体にピントが乗り移るのを防ぐことができる。
【００３３】
一方、Ｓ４０５では、システム制御部２０１は、分割パターンｐとして、図５（ａ）、（ｂ）、（ｃ）、（ｄ）、（ｅ）にそれぞれ示される分割パターンａ、ｂ、ｃ、ｄ、ｅを設定する。パターンｄは、パターンａに対して分割する位置をＺ／２だけ左にずらした分割パターンである。また、パターンｅは、パターンａに対して分割する位置をＺ／２だけ右にずらした分割パターンである。
【００３４】
図６では、上述した分割パターンａ〜ｃを適用した場合の例を示している。図６（ａ）、（ｂ）、（ｃ）は、連続した３つのフレームを示し、それぞれパターンａ、ｂ、ｃを用いて６３個の焦点検出領域が設定されている。すなわち、３フレーム合わせて６３×３＝１８９個の焦点検出領域が設定されることとなる。
【００３５】
図６の例では、図６（ａ）の焦点検出領域６０１と６０２、図６（ｂ）の焦点検出領域６０３、図６（ｃ）の焦点検出領域６０４において、主被写体としての人物の顔が含まれている。これらの中では、視野の中心付近に顔を捉えられている焦点検出領域６０３が最も望ましい焦点検出領域となる。分割パターンが仮にパターンａのみだとすると、人物よりも遠側の被写体（木）が焦点検出領域６０１、６０２に含まれてしまうため、後ピン寄りの焦点検出結果となり、当該焦点検出領域が選択されにくくなる。
【００３６】
このように、１つの分割パターンでは適切な焦点検出領域が存在しない場合でも、分割パターンを増やしてより高密度に焦点検出領域を設定することで、適切な焦点検出領域を選択することが可能となる。なお、複数の分割パターンを設定する場合には、１回の焦点検出にあたり、パターン数分のフレームの撮像が必要になる。そのため、本実施形態では、フレームレートがある程度高い場合に（図４の例では３０ｆｐｓよりも高い場合に）分割パターンを増やすような構成としている。また、フレームレートがさらに高い６０ｆｐｓの場合に、３０ｆｐｓの場合と比較して分割パターンの数を増やしている。
【００３７】
次に、Ｓ３０５の焦点検出について図７のフローチャートを用いて説明する。Ｓ７０１では、システム制御部２０１は、１フレームの撮像処理を行い、撮像素子１０９に信号電荷を蓄積させる。Ｓ７０２では、システム制御部２０１は、第２焦点検出部２１２を制御し、焦点検出領域ごとに像信号を取得して相関演算を行い、デフォーカス量を検出する。Ｓ７０３において、全ての焦点検出領域（図５の例では６３個）についてデフォーカス量が検出されたことが判定されたら、Ｓ７０４に処理を進める。
【００３８】
Ｓ７０４では、システム制御部２０１は、図３のＳ３０２で設定した全ての分割パターンについてデフォーカス量の検出が終了したか否かを判定する。デフォーカス量の検出を行っていない分割パターンがある場合はＳ７０５に進み、システム制御部２０１は、分割パターンを変更してＳ７０１に処理を進める。すなわち、Ｓ７０１〜Ｓ７０５では、Ｓ３０２で設定された全ての分割パターンの各焦点検出領域について、デフォーカス量の検出を行う。全ての分割パターンの各焦点検出領域についてデフォーカス量の検出が終了したら、Ｓ７０６に処理を進める。
【００３９】
Ｓ７０６では、システム制御部２０１は、デフォーカス量を検出した焦点検出領域（図５の例では１８９個）の中から、いずれかの焦点検出領域を選択し、当該焦点検出領域のインデックスと検出されたデフォーカス量を記憶する。このデフォーカス量に基づいて、図３のＳ３０６におけるフォーカスレンズ１０３の駆動が行われる。ここで、インデックスとは、選択された焦点検出領域の分割パターンｐと座標番号ｍによって定まるものである。
【００４０】
なお、焦点検出領域の選択方法としては、像信号の信頼度（２像一致度や像のシャープネスなどに基づく信頼度）が所定のレベルよりも高いものの中で、最も近側の焦点検出結果が得られたものや画面の中心に近いものを優先的に選択する方法がある。また、各分割パターンにおける同一の座標番号ｍの焦点検出領域の中で、または、さらにその近傍の焦点検出領域を含めた焦点検出領域の中で、突出して近側の焦点検出結果が得られたものを優先的に選択するようにしてもよい。例えば、対象となる焦点検出領域それぞれのデフォーカス量の平均値を算出し、当該平均値に対して所定値よりも大きく近側のデフォーカス量が得られた焦点検出領域を優先的に選択するようにしてもよい。なお、選択される焦点検出領域は必ずしも一つでなくてもよく、複数の焦点検出領域で検出されたデフォーカス量に基づいてフォーカスレンズ１０３の駆動を行うようにしてもよい。
【００４１】
以上説明したように、本実施形態では、撮像面位相差検出方式の焦点検出において、撮像フレームごとに焦点検出領域を設定する位置をずらすことで、焦点検出領域の分割パターンを増やして焦点検出を行う。これにより、各焦点検出領域のサイズを小さくすることなく、より高密度に焦点検出領域を配置することと等価の構成となり、被写体をより適切に捉えた焦点検出領域から焦点検出結果を得ることが可能となる。また、移動する被写体に対して、本実施形態のように重なり合う焦点検出領域を順々に切り替えることで、より確実に被写体を捉えることができる。また、本実施形態では、低フレームレート時には焦点検出に時間がかかってしまうのを防ぐため、フレームレートがある程度よりも高い場合に焦点検出領域の分割パターンを増やす構成としている。
【００４２】
（第２の実施形態）
以下、第２の実施形態における分割パターン設定について説明する。第２の実施形態では、焦点検出領域乗り移り特性を設定可能な構成を有し、焦点検出領域乗り移り特性に応じて分割パターンの数を変更する点で第１の実施形態と異なる。図３のＳ３０２の分割パターン設定以外は第１の実施形態と同様の構成でよい。
【００４３】
本実施形態の分割パターン設定について、図８を用いて説明する。図８は、カメラ本体１０１で撮影者により焦点検出領域乗り移り特性を設定するための設定画面の一例であり、例えばディスプレイユニット１１４に表示される。焦点検出領域乗り移り特性とは、複数の焦点検出領域を用いて焦点検出を行う動作モードにおいて、検出されたデフォーカス量に応じて焦点検出領域を切り替えやすさを示すものである。図８の例では、指標８０１が現在の設定値を示しており、値８０２ａ、８０２ｂ、８０２ｃの中からいずれかを選択可能である。ここでは、値８０２ａは焦点検出領域の切り替えがしにくく、値８０２ｃは焦点検出領域の切り替えがしやすい。所望の値に指標８０１を合わせたら、釦８０３を押下することで、設定値が記憶部２１１に記憶される。なお、焦点検出領域乗り移り特性の設定については図８の例に限定されない。
【００４４】
分割パターン設定の一例として、値８０２ａが設定されたときは、分割パターンｐとして、第１の実施形態で説明したパターンａを設定する。値８０２ｂが設定されたときは、分割パターンｐとして、第１の実施形態で説明したパターンａ、ｂ、ｃを設定する。値８０２ｃが設定されたときは、分割パターンｐとして、第１の実施形態で説明したパターンａ、ｂ、ｃ、ｄ、ｅを設定する。
【００４５】
上述したように、複数の分割パターンを設定する場合には、１回の焦点検出にあたり、パターン数分のフレームの撮像が必要になる。そのため、焦点検出領域の切り替えがしにくい設定の場合に分割パターンの数を多くすると、必要以上に焦点検出に時間がかかってしまう。一方で、焦点検出領域の切り替えがしやすい設定の場合、より確実に被写体を捉えた焦点検出領域を選択することが望ましい。以上を考慮して、本実施形態では、焦点検出領域の切り替えがしやすい設定ほど、分割パターンの数を多くする構成としている。なお、分割パターンの設定方法については、上述の例に限定されない。
【００４６】
このように、本実施形態では、予め設定された焦点検出領域の切り替えやすさに応じて、焦点検出領域の分割パターンの数を変更する。これにより、例えば移動する被写体などの場合に焦点検出領域を切り替えやすくする設定として、重なり合う焦点検出領域を順々に切り替えることで、移動する被写体をより適切に捉えた焦点検出領域から焦点検出結果を得ることが可能となる。
【００４７】
なお、第１の実施形態の分割パターン設定と第２の実施形態の分割パターン設定を併用してもよい。例えば、フレームレートと焦点検出領域乗り移り特性の両方に基づいて、分割パターンの数を変更するようにしてもよい。
【００４８】
以上、本発明の好ましい実施形態について説明したが、本発明はこれらの実施形態に限定されず、その要旨の範囲内で種々の変形及び変更が可能である。
【符号の説明】
【００４９】
１０１  カメラ本体
１０３  フォーカスレンズ
１０９  撮像素子
２０１  システム制御部
２１２  第２焦点検出部
【図１】
0006700973.tif 000002
【図２】
0006700973.tif 000003
【図３】
0006700973.tif 000004
【図４】
0006700973.tif 000005
【図５】
0006700973.tif 000006
【図６】
0006700973.tif 000007
【図７】
0006700973.tif 000008
【図８】
0006700973.tif 000009